(57)【特許請求の範囲】
【請求項１】
施設において発生した又は使用した電力の電力量を測定する複数の測定装置を備え、当該施設の電力に関する出力情報を出力する電力管理システムであって、
前記複数の測定装置それぞれから、通信により、測定の種別を示す種別情報を伴う測定された測定値を取得する取得部と、
前記複数の測定装置のうち所定選択アルゴリズムにより選択した１以上の測定装置それぞれで測定された測定値を、前記種別情報に基づいて特定し、特定した測定値を用いて前記出力情報を生成する生成部と、
前記生成部により生成された前記出力情報を出力する出力部とを備え、
前記複数の測定装置は、課金対象としての、前記施設における相互に独立した複数の部分のそれぞれに係る使用電力量を測定する電力量計である検針用使用電力測定装置を複数含み、
前記測定値が伴う前記種別情報は、当該測定値が測定された検針用使用電力測定装置と対応する料金プランを区別する情報を含み、
前記生成部は、特定の料金プランに係る使用電力に関する情報を前記出力情報とする場合に、前記所定選択アルゴリズムにより、前記種別情報に基づいて前記特定の料金プランに対応する検針用使用電力測定装置を選択する
電力管理システム。
【請求項２】
前記電力管理システムは更にユーザによる入力を受け付ける受付部を備え、
前記生成部は、前記所定選択アルゴリズムにより前記入力に応じて前記選択を行う
請求項１に記載の電力管理システム。
【請求項３】
前記生成部は、前記取得部が取得した１以上の測定値が伴う種別情報に応じて前記所定選択アルゴリズムにより前記選択を行う
請求項１又は２に記載の電力管理システム。
【請求項４】
前記電力管理システムは、
前記取得部及び前記出力部を有する電力管理装置と、
前記出力部から出力される前記出力情報を受信して当該出力情報に基づく表示を行う表示装置とを備える
請求項１〜３のいずれか一項に記載の電力管理システム。
【請求項５】
施設において発生した又は使用した電力の電力量を測定する複数の測定装置から、通信により、測定の種別を示す種別情報を伴う測定された測定値を取得する取得部と、
前記複数の測定装置のうち所定選択アルゴリズムにより選択した１以上の測定装置それぞれで測定された測定値を、前記種別情報に基づいて特定し、特定した測定値を用いて出力情報を生成する生成部と、
前記生成部により生成された前記出力情報を出力する出力部とを備え、
前記複数の測定装置は、課金対象としての、前記施設における相互に独立した複数の部分のそれぞれに係る使用電力量を測定する電力量計である検針用使用電力測定装置を複数含み、
前記測定値が伴う前記種別情報は、当該測定値が測定された検針用使用電力測定装置と対応する料金プランを区別する情報を含み、
前記生成部は、特定の料金プランに係る使用電力に関する情報を前記出力情報とする場合に、前記所定選択アルゴリズムにより、前記種別情報に基づいて前記特定の料金プランに対応する検針用使用電力測定装置を選択する
電力管理装置。
【請求項６】
施設において発生した又は使用した電力の電力量を測定する複数の測定装置を備え、当該施設の電力に関する出力情報を出力する電力管理システムにおいて用いられる電力管理方法であって、
前記複数の測定装置それぞれから、通信により、測定の種別を示す種別情報を伴う測定された測定値を取得する取得ステップと、
前記複数の測定装置のうち所定選択アルゴリズムにより選択した１以上の測定装置それぞれで測定された測定値を、前記種別情報に基づいて特定し、特定した測定値を用いて前記出力情報を生成する生成ステップと、
前記生成ステップにおいて生成された前記出力情報を出力する出力ステップとを含み、
前記複数の測定装置は、課金対象としての、前記施設における相互に独立した複数の部分のそれぞれに係る使用電力量を測定する電力量計である検針用使用電力測定装置を複数含み、
前記測定値が伴う前記種別情報は、当該測定値が測定された検針用使用電力測定装置と対応する料金プランを区別する情報を含み、
前記生成ステップにおいては、特定の料金プランに係る使用電力に関する情報を前記出力情報とする場合に、前記所定選択アルゴリズムにより、前記種別情報に基づいて前記特定の料金プランに対応する検針用使用電力測定装置を選択する
電力管理方法。
【請求項７】
施設において発生した又は使用した電力の電力量を測定する複数の測定装置と通信するコンピュータに電力管理処理を実行させるための制御プログラムであって、
前記電力管理処理は、
前記複数の測定装置から、測定の種別を示す種別情報を伴う測定された測定値を取得する取得ステップと、
前記複数の測定装置のうち所定選択アルゴリズムにより選択した１以上の測定装置それぞれで測定された測定値を、前記種別情報に基づいて特定し、特定した測定値を用いて出力情報を生成する生成ステップと、
前記生成ステップにおいて生成された前記出力情報を出力する出力ステップとを含み、
前記複数の測定装置は、課金対象としての、前記施設における相互に独立した複数の部分のそれぞれに係る使用電力量を測定する電力量計である検針用使用電力測定装置を複数含み、
前記測定値が伴う前記種別情報は、当該測定値が測定された検針用使用電力測定装置と対応する料金プランを区別する情報を含み、
前記生成ステップにおいては、特定の料金プランに係る使用電力に関する情報を前記出力情報とする場合に、前記所定選択アルゴリズムにより、前記種別情報に基づいて前記特定の料金プランに対応する検針用使用電力測定装置を選択する
制御プログラム。
【発明の詳細な説明】
【技術分野】
【０００１】
本発明は、住宅等の施設で発生した又は使用した電力に関する情報を出力する電力管理システム、そのシステムで用いられる電力管理装置、電力管理方法及び制御プログラムに関する。
【背景技術】
【０００２】
従来、住宅におけるエネルギー管理をするＨＥＭＳ（Home Energy Management System）が知られている。ＨＥＭＳでは、エネルギー消費の抑制等のために、住宅における１台以上のＨＥＭＳ機器を、ＨＡＮ（Home Area Network）を介してＨＥＭＳコントローラが制御する。また、ＨＥＭＳは、例えば住宅における使用電力量を測定して測定結果を住宅におけるＨＥＭＳ機器で表示して、居住者に使用電力量を認知させる。例えば、スマートメータから各種情報を受信し複数の装置各々から消費電力情報を受信して消費電力情報等をデジタルテレビに表示する消費電力表示システムが知られている（特許文献１参照）。この消費電力表示システムでは、予め固定的に決まった装置からの消費電力情報が表示に用いられる。
【先行技術文献】
【特許文献】
【０００３】
【特許文献１】特開２０１２−１８１０５５号公報
【発明の概要】
【発明が解決しようとする課題】
【０００４】
ところで、住宅等の施設で電力について測定する測定装置が、追加導入等により複数存在する場合に、各測定装置の設置位置、測定対象部分、測定方式等の相違により、各測定装置による測定の性質（例えば精度）及び測定値は互いに異なり得る。
【０００５】
本発明は、施設において複数の測定装置で測定された電力の測定値から適切な測定値を特定して用いることで適切に情報の出力を行う電力管理システムを提供することを目的とする。また、本発明は、この電力管理システムで用いられる電力管理装置、電力管理方法及び制御プログラムを提供することを目的とする。
【課題を解決するための手段】
【０００６】
上記目的を達成するために本発明の一態様に係る電力管理システムは、施設において発生した又は使用した電力の電力量を測定する複数の測定装置を備え、当該施設の電力に関する出力情報を出力する電力管理システムであって、前記複数の測定装置それぞれから、通信により、測定の種別を示す種別情報を伴う測定された測定値を取得する取得部と、前記複数の測定装置のうち所定選択アルゴリズムにより選択した１以上の測定装置それぞれで測定された測定値を、前記種別情報に基づいて特定し、特定した測定値を用いて前記出力情報を生成する生成部と、前記生成部により生成された前記出力情報を出力する出力部とを備える。
【０００７】
また、上記目的を達成するために本発明の一態様に係る電力管理装置は、施設において発生した又は使用した電力の電力量を測定する複数の測定装置から、通信により、測定の種別を示す種別情報を伴う測定された測定値を取得する取得部と、前記複数の測定装置のうち所定選択アルゴリズムにより選択した１以上の測定装置それぞれで測定された測定値を、前記種別情報に基づいて特定し、特定した測定値を用いて出力情報を生成する生成部と、前記生成部により生成された前記出力情報を出力する出力部とを備える。
【０００８】
また、上記目的を達成するために本発明の一態様に係る電力管理方法は、施設において発生した又は使用した電力の電力量を測定する複数の測定装置を備え、当該施設の電力に関する出力情報を出力する電力管理システムにおいて用いられる電力管理方法であって、前記複数の測定装置それぞれから、通信により、測定の種別を示す種別情報を伴う測定された測定値を取得する取得ステップと、前記複数の測定装置のうち所定選択アルゴリズムにより選択した１以上の測定装置それぞれで測定された測定値を、前記種別情報に基づいて特定し、特定した測定値を用いて前記出力情報を生成する生成ステップと、前記生成ステップにおいて生成された前記出力情報を出力する出力ステップとを含む。
【０００９】
また、上記目的を達成するために本発明の一態様に係る制御プログラムは、施設において発生した又は使用した電力の電力量を測定する複数の測定装置と通信するコンピュータに電力管理処理を実行させるための制御プログラムであって、前記電力管理処理は、前記複数の測定装置から、測定の種別を示す種別情報を伴う測定された測定値を取得する取得ステップと、前記複数の測定装置のうち所定選択アルゴリズムにより選択した１以上の測定装置それぞれで測定された測定値を、前記種別情報に基づいて特定し、特定した測定値を用いて出力情報を生成する生成ステップと、前記生成ステップにおいて生成された前記出力情報を出力する出力ステップとを含む。
【発明の効果】
【００１０】
本発明の電力管理システム等は、適切な測定値を選択的に用いて適切に情報を出力する。
【図面の簡単な説明】
【００１１】
【図１】実施の形態１に係る電力管理システムを示す概略構成図である。
【図２】電力管理装置の構成図である。
【図３】実施の形態１に係る電力管理装置が受信する測定情報の一例を示す図である。
【図４】電力管理装置が用いる設定情報の一例を示す図である。
【図５】実施の形態１に係る電力管理装置による電力管理処理の一例を示すフローチャートである。
【図６】表示装置に表示される画面（電力量表示画面）の一例を示す図である。
【図７】実施の形態２に係る電力管理システムを示す概略構成図である。
【図８】実施の形態２に係る電力管理装置が受信する測定情報の一例を示す図である。
【図９】実施の形態２に係る電力管理装置が用いるプラン対応情報の一例を示す図である。
【図１０】実施の形態２に係る電力管理装置による電力管理処理の一例を示すフローチャートである。
【図１１】表示装置に表示される画面（料金プランＡ電力量表示画面）の一例を示す図である。
【図１２】表示装置に表示される画面（全使用電力量表示画面）の一例を示す図である。
【発明を実施するための形態】
【００１２】
以下、実施の形態について、図面を参照しながら説明する。ここで示す実施の形態は、いずれも本発明の一具体例を示すものである。従って、以下の実施の形態で示される数値、形状、材料、構成要素、構成要素の配置及び接続形態、並びに、ステップ（工程）及びステップの順序等は、一例であって本発明を限定するものではない。以下の実施の形態における構成要素のうち、独立請求項に記載されていない構成要素については、任意に付加可能な構成要素である。また、各図は、模式図であり、必ずしも厳密に図示されたものではない。
【００１３】
（実施の形態１）
以下、本発明の一実施形態に係る電力管理システムについて説明する。
【００１４】
（構成）
図１は、実施の形態１に係る電力管理システム１０の概略構成図である。同図に示す電力管理システム１０は、住宅２０に設置された電力管理装置１００、分電盤２００、検針用使用電力測定装置（スマートメータ）３００及び表示装置（タブレット等）４００、並びに、電力管理装置１００とネットワーク３１を介して通信可能なサーバ装置３０を含んで構成される。
【００１５】
電力管理システム１０は、住宅２０における電力の発生及び使用（消費）を管理し、その電力に関する出力情報を出力する。
【００１６】
住宅２０の分電盤２００には、電力事業者等の設備である電力系統からの電力（系統電力）が供給され、分電盤２００は、系統電力を複数の分岐回路毎に分岐させる。分電盤２００は、主幹測定装置２１０と分岐測定装置２２０ａ、２２０ｂ等とを含む。主幹測定装置２１０は、電力系統と接続される主幹ブレーカに付加された電流センサを含む測定装置である。また、分岐測定装置２２０ａ、２２０ｂ等のそれぞれは、分電盤２００の１以上の分岐回路について分岐回路毎に設置され、電流を測定する電流センサを含む測定装置である。
【００１７】
検針用使用電力測定装置（スマートメータ）３００は、住宅２０に設置された測定装置であり、具体的には、課金対象としての住宅２０における使用電力量を測定する電力量計であり、通信機能を有し、電力事業者等の装置により遠隔（自動）検針がなされる。検針用使用電力測定装置３００は、分電盤２００よりも電力系統側の部分で電力の測定を行う。
【００１８】
電力管理装置１００は、住宅２０において使用した電力の電力量を測定する各種測定装置から電力の測定値を受信して、電力に関する情報を出力する機能を有する。電力管理装置１００は、図２に示すように、プロセッサ（マイクロプロセッサ）１０１、メモリ１０２及び通信インタフェース（Ｉ／Ｆ）１０３を備えるコンピュータである。メモリ１０２は、プログラム及びデータを予め保持しているＲＯＭ、プログラムの実行に際してデータ等の記憶に利用するためのＲＡＭ等であり、例えば不揮発性メモリを含んでいてもよい。プロセッサ１０１は、メモリ１０２に格納された制御プログラム等を実行することにより例えば通信Ｉ／Ｆ１０３等を制御して各種処理を行う。制御プログラムは、電力管理処理（後述）を実行させるためのプログラムを含む。通信Ｉ／Ｆ１０３は、無線又は有線で、各種測定装置（つまり検針用使用電力測定装置３００、主幹測定装置２１０、分岐測定装置２２０ａ、２２０ｂ等）、表示装置４００、その他の住宅２０内のＨＥＭＳ機器等と通信する通信回路である。電力管理装置１００が各装置類との通信に用いるプロトコルとしては、予め定められたものが用いられる。例えば、ネットワーク層はＩＰｖ６（Internet Protocol version 6）、トランスポート層はＵＤＰ（User Datagram Protocol）、アプリケーション層はＥＣＨＯＮＥＴ  Ｌｉｔｅ（登録商標）等である。検針用使用電力測定装置３００とは、例えば９２０ＭＨｚ帯で無線通信が可能である。また、通信Ｉ／Ｆ１０３は、インターネット等の広域ネットワークを含み得るネットワーク３１を介して、サーバ装置３０との間で通信し得る。
【００１９】
電力管理装置１００は、例えばＨＥＭＳコントローラとしての機能、つまり、住宅２０におけるＨＥＭＳ機器を制御する機能を有し得る。ＨＥＭＳ機器は、図１では省略してあるが、分電盤２００の各分岐回路に接続された電力を使用する電気機器である。電気機器は、例えば照明機器、空調機器、テレビジョン受信装置、冷蔵庫、電磁調理器、電気自動車の充電装置等である。ＨＥＭＳ機器として、例えば住宅２０における電力供給装置（発電装置、蓄電装置等）等を含んでもよい。
【００２０】
電力管理装置１００は、図１に示すように、機能構成要素として、取得部１１０、生成部１２０、出力部１３０及び受付部１４０を有する。
【００２１】
取得部１１０は、通信Ｉ／Ｆ１０３及び制御プログラムを実行するプロセッサ１０１等により実現され、各測定装置から、通信により、測定情報を逐次取得する機能を有する。各測定装置は、例えば一定期間毎（例えば数分毎、数十分毎等）に、測定情報を電力管理装置１００に送信する機能を有する。電力管理装置１００が受信する測定情報の一例を図３に示す。測定情報は、測定の種別を示す種別情報を伴う測定された測定値を含んで構成され、例えば測定日時等の情報を含んでもよい。測定値は、例えば瞬時電力値、一定期間の平均電力値等の電力値であり、また積算電力量等であってもよい。種別情報が示す測定の種別は、測定値の属性であり、例えば測定装置、測定箇所等を区別する。即ち、種別情報は、複数の測定値の中で各測定値を区別して特定の測定値を選択するために用いられる情報である。この種別情報は、例えば電力の測定箇所毎に異なり、図３では、測定値が検針用使用電力測定装置（スマートメータ）３００、主幹測定装置２１０、分岐測定装置２２０ａ及び分岐測定装置２２０ｂのいずれにより測定されたかを区別する情報を含む例を示している。図３に例示する測定情報４０ａは、検針用使用電力測定装置３００が送信した測定情報であり、「スマートメータ」という検針用使用電力測定装置３００による測定を示す種別と、測定された電力値（１００１Ｗ）とを含んでいる。測定情報４０ｂは、主幹測定装置２１０が送信した測定情報であり、「主幹」という主幹測定装置２１０による測定を示す種別と、測定された電力値（９９８Ｗ）とを含んでいる。測定情報４０ｃは、分岐測定装置２２０ａが送信した測定情報であり、「分岐１」という分岐測定装置２２０ａによる測定を示す種別と、測定された電力値（３５１Ｗ）とを含んでいる。また、測定情報４０ｄは、分岐測定装置２２０ｂが送信した測定情報であり、「分岐２」という分岐測定装置２２０ｂによる測定を示す種別と、測定された電力値（５５０Ｗ）とを含んでいる。図３の例における測定情報の種別情報は、測定値が検針用使用電力測定装置により測定されたか、非検針用使用電力測定装置（つまり検針用使用電力測定装置以外の測定装置）により測定されたかを区別する情報を含んでいるとも言える。
【００２２】
生成部１２０は、制御プログラムを実行するプロセッサ１０１、メモリ１０２等により実現される。生成部１２０は、複数の測定装置のうち選択アルゴリズムＡにより選択した１以上の測定装置それぞれで測定された測定値を、種別情報に基づいて特定し、特定した測定値を用いて出力情報を生成する機能を有する。選択アルゴリズムＡは、例えば、種別情報、ユーザ入力により更新可能な設定情報、生成すべき出力情報の種類、及び、測定値が取得部１１０により取得できる状態か否か等に基づく条件判断により、測定装置を選択する所定選択アルゴリズムである。この条件判断の結果に応じて生成部１２０は、複数の測定装置のうち、検針用使用電力測定装置、主幹測定装置、及び、分岐測定装置のいずれか１種の測定装置を選択する。生成部１２０が、生成し得る出力情報の種類としては、例えば、電力量表示用の出力情報、電力料金表示用の出力情報等が挙げられる。図４に、上述した設定情報の一例を示す。図４に例示する設定情報では、最高優先度（優先度１）の電力量表示用の測定装置と、相対的に低い優先度（優先度２）の電力量表示用の測定装置と、電力料金表示用の測定装置との各項目について、予め設定された初期値（デフォルト値）を示している。表示装置４００（タブレット等）を電力管理装置１００のユーザインタフェースとして用いてユーザが入力することで、初期値を変更（更新）可能である。電力量の表示のためには、検針用使用電力測定装置（スマートメータ）３００により測定された電力値と、主幹測定装置２１０により測定された電力値と、全ての分岐測定装置２２０ａ、２２０ｂ等により測定された電力値の合計値とのいずれもが、利用可能である。このため、ユーザは、スマートメータ、主幹測定装置及び分岐測定装置のいずれかを各項目について指定（入力）して設定情報を更新し得る。なお、電力料金表示用の測定装置の項目については、ユーザによる変更を禁止してもよい。この禁止により、電力料金表示用の出力情報の生成に際しては必ず検針用使用電力測定装置（スマートメータ）３００が選択され、生成部１２０において、検針用使用電力測定装置３００により測定された測定値が、出力情報の生成に用いられるようになる。これにより、課金対象として測定された電力量が電力料金の表示に用いられるため、課金額と整合する適切な表示が実現され得る。
【００２３】
出力部１３０は、通信Ｉ／Ｆ１０３及び制御プログラムを実行するプロセッサ１０１等により実現され、生成部１２０により生成された出力情報を出力する機能を有する。この出力は、例えば表示装置４００等に対する出力情報の送信により行われる。なお、電力管理装置１００が、液晶ディスプレイ等の表示装置を備える場合においては、その表示装置への出力情報の表示により、出力情報の出力を行ってもよい。また、出力部１３０は、送信、表示の他に、出力情報を示す音声の再生等により出力を行ってもよい。
【００２４】
受付部１４０は、通信Ｉ／Ｆ１０３及び制御プログラムを実行するプロセッサ１０１等により実現され、表示装置４００（タブレット等）からユーザ入力に係る情報が送信された場合にその情報を受信することで受け付ける機能を有する。なお、電力管理装置１００が、キーボード、ポインティングデバイス等の入力装置を備える場合においては、受付部１４０は、その入力装置を介してなされるユーザ入力を受け付ける。ユーザ入力に係る情報は、例えば設定情報の変更、表示されるべき画面の選択等であり、生成部１２０において出力情報の生成のために利用され得る。
【００２５】
表示装置４００は、例えば液晶ディスプレイを含むタッチパネルを備えるタブレット、スマートフォン等といったユーザインタフェースとなる装置である。表示装置４００は、電力管理装置１００と通信し、電力管理装置１００から出力される出力情報を受信してその出力情報に基づく表示を行う機能を有する。また、表示装置４００は、ユーザ入力（操作）を受けてユーザ入力に応じた情報の、電力管理装置１００への送信を行う機能を有する。
【００２６】
サーバ装置３０は、例えば電力管理装置１００と同様（図２参照）の構成を備えるコンピュータであり、住宅２０の外部の設備に所在し、例えば電力事業者、機器製造業者或いは情報サービス事業者等により運用される。サーバ装置３０は、例えば、料金プラン、電力料金の単価等の料金情報を電力管理装置１００に配信し得る。配信された料金情報は、電力管理装置１００に受信されメモリ１０２等に保持され、生成部１２０が電力料金表示用の出力情報を生成する際に利用され得る。
【００２７】
（動作）
以下、上述の構成を備える電力管理システム１０で住宅２０における使用電力等に関する出力情報を出力するための動作について、図５に即して説明する。
【００２８】
図５は、電力管理システム１０における電力管理装置１００が行う電力管理処理の一例を示すフローチャートである。
【００２９】
電力管理装置１００は、受付部１４０により、電力量表示の操作が受け付けられたか否かを判定する（ステップＳ１１）。例えば、表示装置４００等からユーザ入力（操作）に基づき電力量表示画面を表示すべき旨が示された情報が送信されると、受付部１４０はそれを受信することにより電力量表示の操作が受け付けられたと判定する。表示装置４００等では、例えば、電力の情報を表示する場合の初期画面として、電力量表示画面へ遷移するためのボタン、電力料金表示画面へ遷移するためのボタン等を含むメニュー画面（不図示）を表示するようにしてもよい。そして表示装置４００等は、電力量表示画面へ遷移するためのボタンが押下（操作）された場合に、電力量表示画面を表示すべき旨を示す情報を電力管理装置１００に送信し得る。なお、ステップＳ１１において電力量表示の操作が受け付けられていない場合には、電力管理装置１００は、ステップＳ１２〜Ｓ１７での処理を行わずに、ステップＳ１８での電力料金表示の操作が受け付けられたか否かの判定に移る。この例では、電力管理処理は、何らかの出力情報の出力を要する操作が受け付けられると、その出力のための処理を行うイベント駆動型の処理構造を有している。
【００３０】
電力量表示の操作が受け付けられると、生成部１２０は、選択アルゴリズムＡにより設定情報（図４参照）を参照して優先度１の電力量表示用の測定装置として設定された測定装置から、取得部１１０が測定値を取得可能か否かについて判定する（ステップＳ１２）。例えば、優先度１の電力量表示用の測定装置として検針用使用電力測定装置（スマートメータ）３００が設定されている場合に、取得部１１０が現在までにスマートメータを示す種別情報を伴う測定値を含む測定情報を取得（受信）していれば、取得可能と判定する。取得部１１０が現在までにスマートメータを示す種別情報を伴う測定値を含む測定情報を取得（受信）していなければ、取得可能でないと判定する。このように選択アルゴリズムＡでは、住宅２０への測定装置の導入状況、電力管理装置１００と各測定装置との間の通信状況等に応じて、選択する測定装置を変化させ得る。なお、電力管理処理において、取得部１１０は、逐次、通信により、測定の種別を示す種別情報を伴う測定された測定値を取得して、例えばメモリ１０２等に測定値を格納している。
【００３１】
優先度１の電力量表示用の測定装置の項目に設定された測定装置から測定値が取得可能であると判定した場合には、生成部１２０は、その測定装置を選択する（ステップＳ１３）。そして、生成部１２０は、その選択した測定装置により測定され、取得部１１０で取得された測定情報の測定値を、種別情報に基づいて特定する（ステップＳ１５）。また、優先度１の電力量表示用の測定装置の項目に設定された測定装置から測定値が取得可能でないと判定した場合には、生成部１２０は、優先度２の電力量表示用の測定装置の項目に設定された測定装置を選択する（ステップＳ１４）。そして、生成部１２０は、その選択した測定装置により測定され、取得部１１０で取得された測定情報の測定値を、種別情報に基づいて特定する（ステップＳ１５）。この例は、設定情報における優先度２の電力量表示用の測定装置の項目として、電力管理システム１０に備えられる測定装置のうち、通信状況等が安定し、測定情報を安定的に取得できる測定装置が指定されていることを前提とした一例となっている。
【００３２】
生成部１２０は、ステップＳ１５で特定した測定値を用いて、出力情報となる電力量表示情報を生成する（ステップＳ１６）。電力量表示情報は、例えばグラフィカルユーザインタフェース（ＧＵＩ：Graphical User Interface）としての電力量表示画面を構成する各表示要素（例えば、文字列、ボタン等）を示す情報である。電力量表示画面は、測定値自体を表す文字列を含んでもよいし、測定値から演算により導出された値を表す文字列等といった、測定値を反映した表示要素を含んでもよいし、測定値に対応して変化する表示要素を含んでもよい。即ち、出力情報となる電力量表示情報は、測定値に依存して生成される情報である。
【００３３】
続いて、出力部１３０は、生成部１２０により生成された電力量表示情報を、表示装置４００に送信することで、出力情報の出力を行う（ステップＳ１７）。この電力量表示情報を受信した表示装置４００では、図６に例示するような電力量表示画面５１０が表示される。電力量表示画面５１０は、住宅２０で測定された使用電力量を示す表示要素５１１、その測定がなされた日時を示す表示要素５１２、電力料金表示画面へ遷移するためのボタン５１３、及び、メニュー画面に戻るためのボタン５１４を含む。
【００３４】
電力管理装置１００は、受付部１４０により、電力料金表示の操作が受け付けられたか否かを判定する（ステップＳ１８）。例えば、表示装置４００等からユーザ入力（操作）に基づき電力料金表示画面を表示すべき旨が示された情報が送信されると、受付部１４０はそれを受信することにより電力料金表示の操作が受け付けられたと判定する。電力料金表示の操作が受け付けられていない場合には、ステップＳ１９〜Ｓ２２での処理が実行されない。
【００３５】
電力料金表示の操作が受け付けられた場合には、生成部１２０は、選択アルゴリズムＡにより設定情報（図４参照）を参照して、電力料金表示用の測定装置の項目に設定された測定装置を選択する（ステップＳ１９）。そして、生成部１２０は、その選択した測定装置により測定され、取得部１１０で取得された測定情報の測定値を、種別情報に基づいて特定する（ステップＳ２０）。図４の例によれば、ステップＳ２０で、検針用使用電力測定装置（スマートメータ）３００により測定された測定値が特定される。
【００３６】
生成部１２０は、ステップＳ２０で特定した測定値を用いて、出力情報となる電力料金表示情報を生成する（ステップＳ２１）。電力料金表示情報は、電力量表示情報と同様に、例えばＧＵＩとしての電力料金表示画面を構成する各表示要素（例えば、文字列、ボタン等）を示す情報である。電力料金表示画面は、測定値と、サーバ装置３０等から取得された料金情報とに基づいて算定された電力料金を示す表示要素を含む。
【００３７】
続いて、出力部１３０は、生成部１２０により生成された電力料金表示情報を、表示装置４００に送信することで、出力情報の出力を行う（ステップＳ２２）。
【００３８】
電力管理装置１００では、ステップＳ１１及びステップＳ１８の判定等が、例えば一定時間毎等に、繰り返し実行される。これにより、利用する測定値の測定元の測定装置を選択するので、表示装置４００に表示されるべき内容等に応じて適切な測定値を特定して、適切に情報の出力を行うことができる。即ち、電力管理システム１０は、選択した測定装置により測定された測定値の取得、測定値に基づく出力情報の生成及び出力を行う電力管理方法により、適切に情報の出力を行うことができる。なお、電力管理システム１０において、電力管理装置１００の生成部１２０の機能の全部又は一部をサーバ装置３０側に移して、その機能をサーバ装置３０に実行させてもよい。サーバ装置３０においては、例えば選択アルゴリズムＡにより選択した測定装置からの測定値を収集及び分析して分析結果を示す出力情報を生成して出力（送信、表示等）することとしてもよい。
【００３９】
（実施の形態２）
以下、上述した電力管理システム１０の一部を変形した電力管理システム１０ａについて説明する。
【００４０】
（構成）
図７は、実施の形態２に係る電力管理システム１０ａの概略構成図である。同図に示す電力管理システム１０ａは、実施の形態１で示した電力管理システム１０に、測定装置としての検針用使用電力測定装置（特定部用スマートメータ）３０１及び検針用発生電力測定装置（発電装置用スマートメータ）３０２を追加し、電力管理装置１００を一部変形した電力管理装置１００ａを含ませたシステムである。
【００４１】
電力管理システム１０ａは、住宅２０における電力の発生及び使用（消費）を管理し、その電力に関する出力情報を出力する。電力管理システム１０ａにおける構成要素のうち実施の形態１で示した電力管理システム１０（図１参照）と同じものについては、同じ符号を付しており、ここではその説明を省略する。電力管理システム１０ａについて、ここで説明しない点については、実施の形態１の電力管理システム１０と同様である。
【００４２】
実施の形態２では、住宅２０において例えばヒートポンプ給湯機器（不図示）が導入され、また、太陽光発電装置（太陽電池）等より発生した電力で電気機器に使用されなかった余剰分の電力を電力事業者に売ることとする。検針用使用電力測定装置３０１は、住宅２０の特定部分に設けられたヒートポンプ給湯機器専用となるスマートメータ（特定部用スマートメータ）、つまりヒートポンプ給湯機器に電力系統から供給される、課金対象としての使用電力の測定を行う電力量計である。また、検針用発生電力測定装置３０２は、太陽光発電装置により発生して電力事業者の電力系統へと供給される電力（売電に係る電力）の測定を専ら行う電力量計である。実施の形態１でも示した検針用使用電力測定装置３００は、ヒートポンプ給湯機器以外の部分へ電力系統から供給される電力を測定する。ここで、検針用使用電力測定装置３００を、主部用スマートメータとも称する。電力管理システム１０ａでは、複数の測定装置として、課金対象としての、住宅２０における相互に独立した複数の部分のそれぞれに係る使用電力量を測定する電力量計である検針用使用電力測定装置を複数含むことになる。また、複数の測定装置として、住宅２０における使用電力量を測定する電力量計である検針用使用電力測定装置と、住宅２０における発電により生じた発生電力量を測定する電力量計である検針用発生電力測定装置とを含むことになる。
【００４３】
電力管理装置１００ａは、実施の形態１で示した電力管理装置１００と同様に各測定装置から測定情報を受信する。電力管理装置１００ａが受信する測定情報の一例を図８に示す。図８では、測定情報の種別情報が、測定の種別として、測定値が検針用使用電力測定装置（主部用スマートメータ）３００、検針用使用電力測定装置（特定部用スマートメータ）３０１、検針用発生電力測定装置（発電装置用スマートメータ）３０２、主幹測定装置２１０、分岐測定装置２２０ａ及び分岐測定装置２２０ｂのいずれにより測定されたかを区別する情報を含む例を示している。図８の例における測定情報の種別情報は、測定値が検針用使用電力測定装置により測定されたか、検針用発生電力測定装置により測定されたかを区別する情報を含んでいるとも言える。また、種別情報は、ヒートポンプ給湯機器が設けられた特定部分（特定部）かその他の部分（主部）かというように、住宅２０における測定値が測定された部分を区別する情報を含んでいるとも言える。図８に例示する測定情報４１ａは、検針用使用電力測定装置３００が送信した測定情報であり、「主部用スマートメータ」という検針用使用電力測定装置３００による測定を示す種別と、測定された電力値（１００１Ｗ）とを含んでいる。測定情報４１ｂは、検針用使用電力測定装置３０１が送信した測定情報であり、「特定部用スマートメータ」という検針用使用電力測定装置３０１による測定を示す種別と、測定された電力値（４００Ｗ）とを含んでいる。また、測定情報４１ｃは、検針用発生電力測定装置３０２が送信した測定情報であり、「発電装置用スマートメータ」という検針用発生電力測定装置３０２による測定を示す種別と、測定された電力値（３３０Ｗ）とを含んでいる。測定情報４１ｄ〜４１ｆは、図３で示した測定情報４０ｂ〜４０ｄと同様である。
【００４４】
住宅２０では、例えば電力事業者等と電力売買の契約に基づいて予め定められた料金プランＡ及び料金プランＢに従って電力の売買（売電及び買電）がなされるものとする。図９は、料金プラン毎に、その料金プランのための検針に用いられるスマートメータを対応付けたプラン対応情報の例を示す。図９の例では、検針用使用電力測定装置（主部用スマートメータ）３００と検針用発生電力測定装置（発電装置用スマートメータ）３０２との組が料金プランＡと対応付けられ、検針用使用電力測定装置（特定部用スマートメータ）３０１が料金プランＢと対応付けられている。電力管理装置１００ａは、ユーザ入力等により、プラン対応情報をメモリ１０２に記憶し、出力情報の生成のために用いる。
【００４５】
電力管理装置１００ａは、機能構成要素として、図７に示すように実施の形態１と同様の取得部１１０、出力部１３０及び受付部１４０と、実施の形態１の生成部１２０を一部変形した生成部１２０ａとを有する。
【００４６】
生成部１２０ａは、制御プログラムを実行するプロセッサ１０１、メモリ１０２等により実現される。生成部１２０ａでは、生成部１２０とは異なる所定選択アルゴリズムである選択アルゴリズムＢを用いて、どの測定装置の測定値を用いて出力情報を生成するかについての選択を行う。即ち、生成部１２０ａは、複数の測定装置のうち選択アルゴリズムＢにより選択した１以上の測定装置それぞれで測定された測定値を、種別情報に基づいて特定し、特定した測定値を用いて出力情報を生成する機能を有する。選択アルゴリズムＢは、例えば、種別情報、生成すべき出力情報の種類等に基づく条件判断により、測定装置を選択するアルゴリズムである。この条件判断の結果に応じて生成部１２０ａは、複数の測定装置のうち、主部用スマートメータ、特定部用スマートメータ、発電装置用スマートメータ、主幹測定装置、及び、分岐測定装置のいずれか１種以上の測定装置を選択する。生成部１２０ａが、生成し得る出力情報の種類としては、例えば、料金プランＡの電力量表示用の出力情報、料金プランＢの電力量表示用の出力情報、全使用電力量表示用の出力情報等が挙げられる。
【００４７】
（動作）
以下、上述の構成を備える電力管理システム１０ａで住宅２０における電力に関する出力情報を出力するための動作について、図１０に即して説明する。
【００４８】
図１０は、電力管理システム１０ａにおける電力管理装置１００ａが行う電力管理処理の一例を示すフローチャートである。
【００４９】
電力管理装置１００ａは、受付部１４０により、料金プランＡの電力量表示の操作が受け付けられたか否かを判定する（ステップＳ３１）。例えば、表示装置４００等からユーザ入力（操作）に基づき料金プランＡ電力量表示画面を表示すべき旨が示された情報が送信されると、受付部１４０はそれを受信することにより料金プランＡの電力量表示の操作が受け付けられたと判定する。表示装置４００等では、例えば、電力の情報を表示する場合の初期画面として、料金プランＡ電力量表示画面へ遷移するためのボタン、料金プランＢ電力量表示画面へ遷移するためのボタン、全使用電力量表示画面へ遷移するためのボタン等を含むメニュー画面（不図示）を表示するようにしてもよい。そして表示装置４００等は、料金プランＡ電力量表示画面へ遷移するためのボタンが押下（操作）された場合に、料金プランＡ電力量表示画面を表示すべき旨を示す情報を電力管理装置１００ａに送信し得る。なお、ステップＳ３１において料金プランＡの電力量表示の操作が受け付けられていない場合には、電力管理装置１００ａは、ステップＳ３２〜Ｓ３５の処理を行わずに、ステップＳ３６での料金プランＢの電力量表示の操作が受け付けられたか否かの判定に移る。この例では、電力管理処理はイベント駆動型の処理構造を有している。
【００５０】
ステップＳ３１で料金プランＡの電力量表示の操作が受け付けられた場合には、生成部１２０ａは、選択アルゴリズムＢによりプラン対応情報（図９参照）を参照して、料金プランＡに対応する検針用使用電力測定装置（主部用スマートメータ）３００及び検針用発生電力測定装置（発電装置用スマートメータ）３０２を選択する（ステップＳ３２）。生成部１２０ａは、選択した各測定装置により測定され、取得部１１０で取得された各測定情報の測定値を、種別情報に基づいて特定する（ステップＳ３３）。なお、電力管理処理において、取得部１１０は、逐次、通信により、測定の種別を示す種別情報を伴う測定された測定値を取得して、例えばメモリ１０２等に測定値を格納している。
【００５１】
続いて生成部１２０ａは、ステップＳ３３で特定した各測定値を、種別情報に応じて区別して用いて、出力情報となる、電力量を含む料金プランＡ電力量表示情報を生成する（ステップＳ３４）。具体的には、生成部１２０ａは、例えば、主部用スマートメータで測定された測定値と発電装置用スマートメータで測定された測定値との差分を演算により求める。そして、その差分等を表示するＧＵＩとしての料金プランＡ電力量表示画面を構成する各表示要素を示す料金プランＡ電力量表示情報を生成する。料金プランＡ電力量表示画面は、各測定値自体を表す文字列を含んでもよいし、各測定値から演算により導出された値（上述の差分等）を表す文字列等といった、各測定値を反映した表示要素を含んでもよいし、各測定値に対応して変化する表示要素を含んでもよい。即ち、出力情報となる料金プランＡ電力量表示情報は、ステップＳ３２で選択された各測定装置により測定された各測定値に依存して生成される情報である。なお、各測定値は、測定値が伴う種別情報に応じた方法で出力情報に用いられる。例えば、発電装置用スマートメータで測定された測定値なら負（マイナス）の符号をつけて演算し、主部用スマートメータで測定された測定値ならば負の符号なしで演算（つまり正の値として演算）することで出力情報に用いられる。
【００５２】
続いて、出力部１３０は、生成部１２０ａにより生成された料金プランＡ電力量表示情報を、表示装置４００に送信することで、出力情報の出力を行う（ステップＳ３５）。この料金プランＡ電力量表示情報を受信した表示装置４００では、図１１に例示するような料金プランＡ電力量表示画面５２０が表示される。料金プランＡ電力量表示画面５２０は、電力量に係る表示要素５２１〜５２３、日時を示す表示要素５１２、電力料金表示画面へ遷移するためのボタン５１３、及び、メニュー画面に戻るためのボタン５１４を含む。表示要素５２１は、住宅２０で検針用発生電力測定装置３０２により測定された売電用となる発生電力量を示す。表示要素５２２は、検針用使用電力測定装置３００により測定された使用電力量を示す。表示要素５２３は、使用電力量と発生電力量との差分を示す。
【００５３】
電力管理装置１００ａは、受付部１４０により、料金プランＢの電力量表示の操作が受け付けられたか否かを判定する（ステップＳ３６）。例えば、表示装置４００等からユーザ入力（操作）に基づき料金プランＢ電力量表示画面を表示すべき旨が示された情報が送信されると、受付部１４０はそれを受信することにより料金プランＢの電力量表示の操作が受け付けられたと判定する。なお、ステップＳ３６において料金プランＢの電力量表示の操作が受け付けられていない場合には、電力管理装置１００ａは、ステップＳ３７〜Ｓ４０の処理を行わずに、ステップＳ４１での全使用電力量表示の操作が受け付けられたか否かの判定に移る。
【００５４】
ステップＳ３６で料金プランＢの電力量表示の操作が受け付けられた場合には、生成部１２０ａは、選択アルゴリズムＢによりプラン対応情報（図９参照）を参照して、料金プランＢに対応する検針用使用電力測定装置（特定部用スマートメータ）３０１を選択する（ステップＳ３７）。生成部１２０ａは、選択した測定装置により測定され、取得部１１０で取得された測定情報の測定値を、種別情報に基づいて特定する（ステップＳ３８）。
【００５５】
続いて生成部１２０ａは、ステップＳ３８で特定した測定値を用いて、出力情報となる、電力量を含む料金プランＢ電力量表示情報を生成する（ステップＳ３９）。具体的には、生成部１２０ａは、ＧＵＩとしての料金プランＢ電力量表示画面を構成する各表示要素を示す料金プランＢ電力量表示情報を生成する。料金プランＢ電力量表示画面は、測定値自体を表す文字列を含んでもよいし、測定値から演算により導出された値を表す文字列等といった測定値を反映した表示要素を含んでもよいし、測定値に対応して変化する表示要素を含んでもよい。即ち、出力情報となる料金プランＢ電力量表示情報は、ステップＳ３７で選択された測定装置により測定された測定値に依存して生成される情報である。
【００５６】
続いて、出力部１３０は、生成部１２０ａにより生成された料金プランＢ電力量表示情報を、表示装置４００に送信することで、出力情報の出力を行う（ステップＳ４０）。この料金プランＢ電力量表示情報を受信した表示装置４００では、検針用使用電力測定装置３０１により測定された測定値に基づく電力量を含む料金プランＢ電力量表示画面が表示される。
【００５７】
電力管理装置１００ａは、受付部１４０により、全使用電力量表示の操作が受け付けられたか否かを判定する（ステップＳ４１）。例えば、表示装置４００等からユーザ入力（操作）に基づき全使用電力量表示画面を表示すべき旨が示された情報が送信されると、受付部１４０はそれを受信することにより全使用電力量表示の操作が受け付けられたと判定する。なお、ステップＳ４１において全使用電力量表示の操作が受け付けられていない場合には、電力管理装置１００ａは、ステップＳ４２〜Ｓ４５の処理を行わない。
【００５８】
ステップＳ４１で全使用電力量表示の操作が受け付けられると、生成部１２０ａは、選択アルゴリズムＢにより検針用使用電力測定装置（主部用スマートメータ）３００及び検針用使用電力測定装置（特定部用スマートメータ）３０１を選択する（ステップＳ４２）。なお、選択アルゴリズムＢでは、実施の形態１で示した選択アルゴリズムＡと同様に、各測定装置との通信状況等によって、検針用使用電力測定装置３００の代わりに、主幹測定装置２１０等を選択することとしてもよい。ここでは検針用使用電力測定装置３００を選択するものとして説明を続ける。生成部１２０ａは、選択した各測定装置により測定され、取得部１１０で取得された各測定情報の測定値を、種別情報に基づいて特定する（ステップＳ４３）。
【００５９】
続いて生成部１２０ａは、ステップＳ４３で特定した各測定値を、種別情報に応じて区別して用いて住宅２０における全使用電力量を算出し、その算出結果を反映して出力情報となる全使用電力量表示情報を生成する（ステップＳ４４）。具体的には、生成部１２０ａは、例えば、主部用スマートメータで測定された測定値と特定部用スマートメータで測定された測定値との合計を演算により求める。そして、生成部１２０ａは、その合計（つまり住宅２０全体における使用電力量）等を表示するＧＵＩとしての全使用電力量表示画面を構成する各表示要素を示す全使用電力量表示情報を生成する。全使用電力量表示画面は、各測定値自体を表す文字列を含んでもよいし、各測定値から演算により導出された値（上述の合計等）を表す文字列等といった、各測定値を反映した表示要素を含んでもよいし、各測定値に対応して変化する表示要素を含んでもよい。即ち、出力情報となる全使用電力量表示情報は、ステップＳ４２で選択された各測定装置により測定された各測定値に依存して生成される情報である。
【００６０】
続いて、出力部１３０は、生成部１２０ａにより生成された全使用電力量表示情報を、表示装置４００に送信することで、出力情報の出力を行う（ステップＳ４５）。この全使用電力量表示情報を受信した表示装置４００では、図１２に例示するような全使用電力量表示画面５３０が表示される。全使用電力量表示画面５３０は、住宅２０全体での使用電力量を示す表示要素５３１、日時を示す表示要素５１２、電力料金表示画面へ遷移するためのボタン５１３、及び、メニュー画面に戻るためのボタン５１４を含む。
【００６１】
電力管理装置１００ａでは、ステップＳ３１、ステップＳ３６及びステップＳ４１の判定等が、例えば一定時間毎等に、繰り返し実行される。これにより、利用する測定値の測定元の測定装置を選択するので、表示装置４００に表示されるべき内容等に応じて適切な測定値を特定して、適切に情報の出力を行うことができる。即ち、電力管理システム１０ａは、選択した測定装置により測定された測定値の取得、測定値に基づく出力情報の生成及び出力を行う電力管理方法により、適切に情報の出力を行うことができる。なお、電力管理システム１０ａにおいて、電力管理装置１００ａの生成部１２０ａの機能の全部又は一部をサーバ装置３０側に移して、その機能をサーバ装置３０に実行させてもよい。サーバ装置３０においては、例えば選択アルゴリズムＢにより選択した測定装置からの測定値を収集及び分析して分析結果を示す出力情報を生成して出力（送信、表示等）することとしてもよい。
【００６２】
（他の実施の形態等）
以上、実施の形態１及び２により電力管理システム１０、１０ａについて説明したが、上述した実施の形態は一例にすぎず、各種の変更、付加、省略等が可能であることは言うまでもない。
【００６３】
上述の実施の形態では、施設の一例として住宅２０を挙げたが、施設はこれに限られず、事務所、工場、ビル等であってもよい。
【００６４】
また、電力管理装置１００、１００ａの取得部１１０、生成部１２０、１２０ａ、出力部１３０は、必ずしも１台の装置に含まれる必要はなく電力管理システム１０、１０ａにおける複数の装置に分散されていてもよい。
【００６５】
また、上述の実施の形態で示した測定情報において測定値が伴う種別情報は、必ずしも測定箇所を区別できなくてもよい。種別情報は、例えばその測定値が検針用使用電力測定装置により測定されたか、非検針用使用電力測定装置（つまり検針用使用電力測定装置以外の測定装置）により測定されたかを区別する情報だけを含むこととしてもよい。この場合に生成部１２０は、住宅２０での使用電力に関する情報を出力情報とするときに、通信状況等に応じて所定選択アルゴリズムにより複数の測定装置のうち検針用使用電力測定装置及び非検針用使用電力測定装置の少なくとも１台を選択することとしてもよい。また、測定値が伴う種別情報は、その測定値が測定された検針用使用電力測定装置と対応する料金プランを区別する情報を含むこととしてもよい。この場合において例えば生成部１２０ａは、特定の料金プランに係る使用電力に関する情報を出力情報とする場合に、所定選択アルゴリズムにより、種別情報に基づいて特定の料金プランに対応する検針用使用電力測定装置を選択することとしてもよい。また、測定値が伴う種別情報は、電力管理装置１００、１００ａに予め記憶されるテーブル等の情報と組み合わせることで測定の種別を特定可能となるものであってもよい。
【００６６】
また、実施の形態１で示したように、電力管理装置１００は、電力料金表示用の出力情報の生成に際して必ず検針用使用電力測定装置（スマートメータ）３００を選択するようにしてもよい。この場合に、主幹測定装置２１０或いは分岐測定装置２２０ａ、２２０ｂ等を併せて選択してこれらによる測定値も併用して出力情報を生成してもよい。
【００６７】
また、実施の形態１では、電力管理装置１００が、測定値が取得できた（通信可能に接続された）測定装置であるか否かを判定すること（ステップＳ１２）により選択すべき装置を定め、その選択した装置からの測定値に基づいて出力情報を生成する例を示した。この他に電力管理装置１００が、ユーザ入力等に基づく設定情報に応じて測定装置を選択して、その選択した装置からの測定値が取得できれば出力情報を生成し、取得できなければ出力情報を生成しない（或いはエラーを示す出力情報を生成する）ようにしてもよい。なお、電力管理装置１００ａにおいても、測定値が取得できた測定装置であるか否かの判定を行ってその判定結果に応じて、測定装置の選択を行うこととしてもよい。
【００６８】
上述の実施形態では、電力管理装置１００、１００ａにおいて出力情報の生成に用いられる測定値に係る測定装置の選択に、設定情報を変更するユーザ入力、表示を指定するユーザ入力等が用いられる例を示した。この他、電力管理装置１００、１００ａは、直接的に測定装置を指定するユーザ入力を受け付けて、その指定された測定装置を選択する機能を有することとしてもよい。
【００６９】
また、上述した所定選択アルゴリズム（選択アルゴリズムＡ及び選択アルゴリズムＢ）は、条件判断を用いて複数の候補としての測定装置から１台又は複数台の測定装置を選択するアルゴリズムであれば、いかなるものであってもよい。
【００７０】
また、上述の実施の形態では料金情報をサーバ装置３０が配信することとしたが、料金情報は、例えばユーザが電力管理装置１００、１００ａに入力してもよいし、スマートメータが電力管理装置１００、１００ａに送信することとしてもよい。
【００７１】
また、上述の電力管理装置１００、１００ａの動作手順（図５、図１０参照）の実行順序は、必ずしも、上述した通りの順序に制限されるものではなく、発明の要旨を逸脱しない範囲で、実行順序を入れ替えたりその一部を省略したりすることができる。また、上述の動作手順の全部又は一部は、電力管理装置１００、１００ａ、サーバ装置３０等のハードウェアにより実現されても、ソフトウェアを用いて実現されてもよい。なお、ソフトウェアによる処理は、電力管理装置１００、１００ａ、サーバ装置３０等に含まれるプロセッサがメモリに記憶された制御プログラムを実行することにより実現されるものである。また、その制御プログラムを記録媒体に記録して頒布や流通させてもよい。例えば、頒布された制御プログラムを装置にインストールして、装置のプロセッサに実行させることで、その装置に、例えば上述した電力管理処理の全部又は一部を行わせることが可能となる。
【００７２】
また、上述した各実施の形態で示した構成要素及び機能を任意に組み合わせることで実現される形態も本発明の範囲に含まれる。
【００７３】
なお、本発明の包括的又は具体的な各種態様には、装置、システム、方法、集積回路、コンピュータプログラム、コンピュータで読み取り可能な記録媒体等の１つ又は複数の組み合わせが含まれる。
【００７４】
以下、本発明の一態様に係る電力管理システム並びにこの電力管理システムで用いられる電力管理装置、電力管理方法及び制御プログラムの構成、変形態様、効果等について示す。
【００７５】
（１）本発明の一態様に係る電力管理システムは、施設（例えば住宅２０）において発生した又は使用した電力の電力量を測定する複数の測定装置（例えば検針用使用電力測定装置３００、３０１、検針用発生電力測定装置３０２、主幹測定装置２１０、分岐測定装置２２０ａ、２２０ｂ等）を備え、その施設の電力に関する出力情報を出力する電力管理システム１０、１０ａであって、その複数の測定装置それぞれから、通信により、測定の種別を示す種別情報を伴う測定された測定値を取得する取得部１１０と、その複数の測定装置のうち所定選択アルゴリズムにより選択した１以上の測定装置それぞれで測定された測定値を、種別情報に基づいて特定し、特定した測定値を用いて出力情報を生成する生成部１２０、１２０ａと、生成部１２０、１２０ａにより生成された出力情報を出力する出力部１３０とを備える。
【００７６】
この構成により、複数の測定装置で測定された電力の測定値から適切な測定値を特定して用いることで適切に情報の出力を行い得る。例えば、測定装置を備える施設に測定装置を追加導入した場合（既存の測定装置の測定値を利用可能となるように設定等を変更した場合を含む）においても、情報の出力に用いる測定値の測定元となる測定装置の選択により、適切に情報の出力を行い得る。
【００７７】
（２）例えば、複数の測定装置は、課金対象としての施設（例えば住宅２０）における使用電力量を測定する電力量計である検針用使用電力測定装置３００と、検針用使用電力測定装置以外のその施設における使用電力量を測定する測定装置である非検針用使用電力測定装置（例えば主幹測定装置２１０、分岐測定装置２２０ａ、２２０ｂ等）とを含み、測定値が伴う種別情報は、その測定値が検針用使用電力測定装置により測定されたか、非検針用使用電力測定装置により測定されたかを区別する情報を含み、生成部１２０は、施設における使用電力に関する情報を出力情報とする場合に、所定選択アルゴリズムにより、複数の測定装置のうち、検針用使用電力測定装置及び非検針用使用電力測定装置の少なくとも１台を選択することとしてもよい。
【００７８】
これにより、課金処理用となる検針用使用電力測定装置とそれ以外の測定装置とを区別して必要に応じて選択することで、状況等に応じて適切に情報の出力を行い得る。
【００７９】
（３）例えば、非検針用使用電力測定装置には、施設（例えば住宅２０）における分電盤２００の主幹ブレーカに付加された電流センサを含む主幹測定装置２１０と分電盤２００の１以上の分岐回路についてその分岐回路の電流を測定する電流センサを含む１台以上の分岐測定装置（分岐測定装置２２０ａ、２２０ｂ等）とが含まれ、測定値が伴う種別情報は、その測定値が検針用使用電力測定装置３００により測定されたか主幹測定装置２１０により測定されたか分岐測定装置２２０ａ、２２０ｂ等により測定されたかを区別する情報を含み、生成部１２０は、所定選択アルゴリズムにより、複数の測定装置のうち、検針用使用電力測定装置３００、主幹測定装置２１０、及び、分岐測定装置２２０ａ、２２０ｂ等のいずれか１種の測定装置を選択することとしてもよい。
【００８０】
これにより、施設の電力を測定するために代替可能な測定装置のうち、通信状況、出力目的等に応じて選択した測定装置により測定された測定値に基づいて適切に情報の出力を行い得る。
【００８１】
（４）例えば、生成部１２０は、施設（例えば住宅２０）の電力料金を示す情報を出力情報に含ませる場合に、所定選択アルゴリズムにより、複数の測定装置のうち、少なくとも１台の検針用使用電力測定装置３００を選択し、その選択した測定装置で測定された測定値を種別情報に基づいて特定して、特定した測定値に基づいて電力料金を算出することにより出力情報の生成を行うこととしてもよい。
【００８２】
これにより、課金対象として測定された電力量が電力料金の表示に用いられるため、課金額と整合する適切な表示が実現され得る。
【００８３】
（５）例えば、複数の測定装置は、課金対象としての、施設における相互に独立した複数の部分のそれぞれに係る使用電力量を測定する電力量計である検針用使用電力測定装置を複数含み（例えば検針用使用電力測定装置３００、３０１を含み）、測定値が伴う種別情報は、その測定値が測定された施設における部分（例えば電力系統からヒートポンプ給湯機器への電力線の特定部分か否か等）を区別する情報を含み、生成部１２０ａは、所定選択アルゴリズムにより、複数の測定装置のうち、少なくとも１台の検針用使用電力測定装置（例えば検針用使用電力測定装置３０１）を選択することとしてもよい。
【００８４】
これにより、部分毎の測定装置のうち、通信状況、出力目的等に応じて選択した測定装置により測定された測定値に基づいて適切に情報の出力を行い得る。
【００８５】
（６）例えば、生成部１２０ａは、施設（例えば住宅２０）における使用電力に関する情報を出力情報とする場合に、所定選択アルゴリズムにより、複数の検針用使用電力測定装置（例えば検針用使用電力測定装置３００及び検針用使用電力測定装置３０１）を選択し、複数の検針用使用電力測定装置それぞれにより測定された測定値、及び、その測定値が伴う種別情報に基づいて施設全体における使用電力量を算出し、その算出の結果を反映するように出力情報の生成を行うこととしてもよい。
【００８６】
これにより、施設に複数の電力量計を設置した場合において施設全体での使用電力量に係る情報を適切に出力し得る。
【００８７】
（７）例えば、複数の測定装置は、課金対象としての、施設（例えば住宅２０）における相互に独立した複数の部分のそれぞれに係る使用電力量を測定する電力量計である検針用使用電力測定装置を複数含み（例えば検針用使用電力測定装置３００、３０１を含み）、測定値が伴う種別情報は、その測定値が測定された検針用使用電力測定装置と対応する料金プランを区別する情報を含み、生成部１２０ａは、特定の料金プラン（例えば料金プランＢ）に係る使用電力に関する情報を出力情報とする場合に、所定選択アルゴリズムにより、種別情報に基づいて特定の料金プランに対応する検針用使用電力測定装置（例えば検針用使用電力測定装置３０１）を選択することとしてもよい。
【００８８】
これにより、施設に複数の電力量計を設置した場合において料金プランに対応して使用電力量に係る情報を適切に出力し得る。
【００８９】
（８）例えば、複数の測定装置は、施設（例えば住宅２０）における使用電力量を測定する電力量計である検針用使用電力測定装置３００と、施設における発電により生じた発生電力量を測定する電力量計である検針用発生電力測定装置３０２とを含み、測定値が伴う種別情報は、その測定値が検針用使用電力測定装置により測定されたか検針用発生電力測定装置により測定されたかを区別する情報を含み、生成部１２０ａは、取得部１１０が検針用使用電力測定装置３００により測定された測定値及び検針用発生電力測定装置３０２により測定された測定値を取得した場合に、所定選択アルゴリズムにより、検針用使用電力測定装置３００及び検針用発生電力測定装置３０２を選択し、特定した１以上の測定値それぞれを、その測定値が伴う種別情報に応じた方法で用いて（例えば種別情報に応じて負の値（マイナス値）か正の値（プラス値）かを定めて加算することで差分を導出して）、出力情報の生成を行うこととしてもよい。
【００９０】
これにより、例えば、買電に係る電力量と売電に係る電力量とに基づく出力情報を適切に出力し得る。
【００９１】
（９）例えば、電力管理システム１０、１０ａは更にユーザによる入力を受け付ける受付部１４０を備え、生成部１２０、１２０ａは、所定選択アルゴリズムにより受付部１４０により受け付けられた入力に応じて出力情報の生成に用いる測定値の測定元となる測定装置の選択を行うこととしてもよい。
【００９２】
これにより、ユーザの入力に応じて適切な測定値を特定して用いるので、適切に情報の出力を行い得る。
【００９３】
（１０）例えば、生成部１２０、１２０ａは、取得部１１０が取得した１以上の測定値が伴う種別情報に応じて所定選択アルゴリズムにより測定装置の選択を行うこととしてもよい。
【００９４】
これにより、施設における複数の測定装置のうち通信可能となり測定値が取得できた測定装置から、選択がなされるようになり、適切に出力情報が生成されるようになる。
【００９５】
（１１）例えば、電力管理システム１０、１０ａは、取得部１１０及び出力部１３０を有する電力管理装置１００、１００ａと、出力部１３０から出力される出力情報を受信してその出力情報に基づく表示を行う表示装置４００とを備えることとしてもよい。
【００９６】
これにより、適切な測定値を用いて生成された適切な情報が表示される。
【００９７】
（１２）本発明の一態様に係る電力管理装置は、施設（例えば住宅２０）において発生した又は使用した電力の電力量を測定する複数の測定装置（例えば検針用使用電力測定装置３００、３０１、検針用発生電力測定装置３０２、主幹測定装置２１０、分岐測定装置２２０ａ、２２０ｂ等）から、通信により、測定の種別を示す種別情報を伴う測定された測定値を取得する取得部１１０と、その複数の測定装置のうち所定選択アルゴリズムにより選択した１以上の測定装置それぞれで測定された測定値を、種別情報に基づいて特定し、特定した測定値を用いて出力情報を生成する生成部１２０、１２０ａと、生成部１２０、１２０ａにより生成された出力情報を出力する出力部１３０とを備える。
【００９８】
これにより、適切な測定値を用いて適切に情報の出力を行い得る。
【００９９】
（１３）本発明の一態様に係る電力管理方法は、施設（例えば住宅２０）において発生した又は使用した電力の電力量を測定する複数の測定装置を備え、施設の電力に関する出力情報を出力する電力管理システム１０、１０ａにおいて用いられる電力管理方法であって、複数の測定装置それぞれから、通信により、測定の種別を示す種別情報を伴う測定された測定値を取得する取得ステップと、複数の測定装置のうち所定選択アルゴリズムにより選択した１以上の測定装置それぞれで測定された測定値を、種別情報に基づいて特定し、特定した測定値を用いて出力情報を生成する生成ステップ（例えばステップＳ１１〜Ｓ１６等）と、生成ステップにおいて生成された出力情報を出力する出力ステップ（例えばステップＳ１７等）とを含む。
【０１００】
これにより、複数の測定装置で測定された電力の測定値から適切な測定値を特定して用いることで適切に情報の出力を行い得る。
【０１０１】
（１４）本発明の一態様に係る制御プログラムは、施設（例えば住宅２０）において発生した又は使用した電力の電力量を測定する複数の測定装置と通信するコンピュータに電力管理処理（図５及び図１０参照）を実行させるための制御プログラムであって、その電力管理処理は、複数の測定装置から、測定の種別を示す種別情報を伴う測定された測定値を取得する取得ステップと、複数の測定装置のうち所定選択アルゴリズムにより選択した１以上の測定装置それぞれで測定された測定値を、種別情報に基づいて特定し、特定した測定値を用いて出力情報を生成する生成ステップ（例えばステップＳ１１〜Ｓ１６等）と、生成ステップにおいて生成された出力情報を出力する出力ステップ（例えばステップＳ１７等）とを含む。
【０１０２】
この制御プログラムをコンピュータにインストールすれば、コンピュータが電力管理装置１００、１００ａ等として機能し、これにより、適切な測定値を用いた適切な情報の出力がなされ得る。
【符号の説明】
【０１０３】
１０、１０ａ  電力管理システム
２０  住宅
１００、１００ａ  電力管理装置
１１０  取得部
１２０、１２０ａ  生成部
１３０  出力部
１４０  受付部
２００  分電盤
２１０  主幹測定装置
２２０ａ、２２０ｂ  分岐測定装置
３００、３０１  検針用使用電力測定装置
３０２  検針用発生電力測定装置
４００  表示装置
【図１】
0006516100.tif 000002
【図２】
0006516100.tif 000003
【図３】
0006516100.tif 000004
【図４】
0006516100.tif 000005
【図５】
0006516100.tif 000006
【図６】
0006516100.tif 000007
【図７】
0006516100.tif 000008
【図８】
0006516100.tif 000009
【図９】
0006516100.tif 000010
【図１０】
0006516100.tif 000011
【図１１】
0006516100.tif 000012
【図１２】
0006516100.tif 000013